(57)【特許請求の範囲】
【請求項１】
空胴を有する錠プラグ、該錠プラグの後端に嵌合固定する反転部材、該錠プラグの外周に滑り外嵌する錠シリンダ、該錠プラグの空胴内に設けられそれぞれ中心孔が貫設された複数の錠リング、該錠プラグの空胴内の奥側に設けられて中心孔及び中心孔へ凸出する扇形凸出部が形成される伝動環、それぞれ上記複数の錠リング及び上記伝動環を正しい間隔に保持する複数のステー座金、及び、そのブレード部が四分の三円の断面をなして前記錠リングと伝動環のそれぞれの中心孔に挿入できる鍵によって構成されるシリンダ装置であって、上記錠リングは、それぞれの内周縁より前記中心孔へ扇形凸出部が凸出されると共に、それぞれの外周縁に前記扇形凸出部と所定のコードに基づく位相角度の差だけ外れた位置に切欠凹部を凹設し、複数の錠リングの中の１つの第１の錠リングがさらに内周縁より中心孔へ凸部を形成し、そして前記鍵は、摘み部とブレード部によって形成され、該ブレード部に軸沿いに所定長さ部分を異なる所定のピッチに切り込んで複数歯が並んだ歯刻みを凹設し、さらに該ブレード部の該歯刻みと反対の周面に前記第１の錠リングの凸部と対応して軸沿いに長溝が形成され、上記伝動環に内周縁より中心孔へ凸部が形成され、上記鍵のブレード部の上記反転部材寄りの一端に突出した伝動部が形成されており、該伝動部の外周縁に前記伝動環の凸部と対応してスロットが形成されることを特徴とすることを特徴とするシリンダ装置。
【請求項２】
空胴を有する錠プラグ、該錠プラグの後端に嵌合固定する反転部材、該錠プラグの外周に滑り外嵌する錠シリンダ、該錠プラグの空胴内に設けられそれぞれ中心孔が貫設された複数の錠リング、該錠プラグの空胴内の奥側に設けられて中心孔及び中心孔へ凸出する扇形凸出部が形成される伝動環、それぞれ上記複数の錠リング及び上記伝動環を正しい間隔に保持する複数のステー座金、及び、そのブレード部が四分の三円の断面をなして前記錠リングと伝動環のそれぞれの中心孔に挿入できる鍵によって構成されるシリンダ装置であって、上記錠リングは、それぞれの内周縁より前記中心孔へ扇形凸出部が凸出されると共に、それぞれの外周縁に前記扇形凸出部と所定のコードに基づく位相角度の差だけ外れた位置に切欠凹部を凹設し、複数の錠リングの中の１つの第１の錠リングがさらに内周縁より中心孔へ凸部を形成し、そして前記鍵は、摘み部とブレード部によって形成され、該ブレード部に軸沿いに所定長さ部分を異なる所定のピッチに切り込んで複数歯が並んだ歯刻みを凹設し、さらに該ブレード部の該歯刻みと反対の周面に前記第１の錠リングの凸部と対応して軸沿いに長溝が形成され、上記錠プラグの先端にさらに保護リングが設けられており、該保護リングに中心孔が貫設されており、さらに前記鍵の長溝と対応して該中心孔へ凸出する凸部が形成されることを特徴とするシリンダ装置。
【請求項３】
空胴を有する錠プラグ、該錠プラグの後端に嵌合固定する反転部材、該錠プラグの外周に滑り外嵌する錠シリンダ、該錠プラグの空胴内に設けられそれぞれ中心孔が貫設された複数の錠リング、該錠プラグの空胴内の奥側に設けられて中心孔及び中心孔へ凸出する扇形凸出部が形成される伝動環、それぞれ上記複数の錠リング及び上記伝動環を正しい間隔に保持する複数のステー座金、及び、そのブレード部が四分の三円の断面をなして前記錠リングと伝動環のそれぞれの中心孔に挿入できる鍵によって構成されるシリンダ装置であって、上記錠リングは、それぞれの内周縁より前記中心孔へ扇形凸出部が凸出されると共に、それぞれの外周縁に前記扇形凸出部と所定のコードに基づく位相角度の差だけ外れた位置に切欠凹部を凹設し、複数の錠リングの中の１つの第１の錠リングがさらに内周縁より中心孔へ凸部を形成し、そして前記鍵は、摘み部とブレード部によって形成され、該ブレード部に軸沿いに所定長さ部分を異なる所定のピッチに切り込んで複数歯が並んだ歯刻みを凹設し、さらに該ブレード部の該歯刻みと反対の周面に前記第１の錠リングの凸部と対応して軸沿いに長溝が形成され、上記伝動環に内周縁より中心孔へ凸部が形成され、上記鍵のブレード部の上記反転部材寄りの一端に突出した伝動部が形成されており、該伝動部の外周縁に前記伝動環の凸部と対応してスロットが形成され、上記錠プラグの先端にさらに保護リングが設けられており、該保護リングに中心孔が貫設されており、さらに前記鍵の長溝と対応して該中心孔へ凸出する凸部が形成されることを特徴とするシリンダ装置。
【請求項４】
上記錠リングの中の一つの第２のリングの肉厚を他の錠リングより厚くし、上記鍵の歯刻みの複数歯における一つの歯が前記第２のリングの肉厚に対応して厚くすることを特徴とする請求項１乃至３のいずれかに記載のシリンダ装置。
【請求項５】
後端に上記反転部材が取付けられた該錠プラグの胴部内に、前端側から前記錠リングと前記ステー座金とを定位リングを介して嵌込む際、該錠プラグの先端部で、該錠プラグの内周端縁と該定位リングとの間を接続するよう半田付けることを特徴とする請求項１乃至３のいずれかに記載のシリンダ装置。
【請求項６】
後端に上記反転部材が取付けられた該錠プラグの胴部内に、前端側から前記錠リングと前記ステー座金とを定位リングを介して嵌込む際、該錠プラグの先端縁に各２箇所の切目を形成した後、内向き直角に突出するよう折曲げた耳によって、前記定位リングを締付てなることを特徴とする請求項１乃至３のいずれかに記載のシリンダ装置。
【請求項７】
さらに、弾性リングを備え、後端に上記反転部材が取付けられた該錠プラグの胴部内に、前端側から前記錠リングと前記ステー座金とを定位リングを介して嵌込む際、該弾性リングによって前記錠プラグと前記定位リング間のリング溝へ押し入れ上記定位リングを押付けてなることを特徴とする請求項１乃至３のいずかに記載のシリンダ装置。
【請求項８】
上記錠プラグの胴部の内周軸沿いに、錠リング回転許容角度がほぼ１８０度かやや１８０度以下となるように内周縁より凹陥部を凹設すると共に、上記錠リング中の複数の第３の錠リングそれぞれに該錠プラグの凹陥部に突出するラグを形成することを特徴とする請求項１乃至３のいずれかに記載のシリンダ装置。
【請求項９】
上記錠リングの１つと定位座金との間には、中心孔が貫設された制止座金が設けられており、該制止座金の中心孔に内周縁へ向けて１／４円の扇形突出部を形成すると共に、上記鍵の歯刻みにおいて該制止座金の扇形突出部に対応する位置の歯が１８０度切り込まれてなることを特徴とする請求項１乃至３のいずれかに記載のシリンダ装置。
【請求項１０】
軸方向に沿って延伸してリブを形成したピンタンプラシリンダが上記錠シリンダをなし、且つ、上記錠プラグの胴部に第１、第２と第３のピンをそなえた複数のピンユニット中の第３のピンを嵌設するための通孔が複数個設けられており、上記ピンタンプラシリンダのリブ内に前記通孔と対応して径方向に平行してホールが形成されると共に、ホール内に圧縮ばねが設けられ、該圧縮ばねの一端が前記第１のピンの一端と当接させてあり、上記錠プラグの通孔の設置箇所に対応して上記錠リング中第３の錠リングの周縁それぞれに嵌入孔が設けられ、前記第３のピンは、中間部の径が両端部より大きいつば付円柱体に形成されると共に、その前記第３の錠リング寄りの端部の周囲にコイルばねが付勢外装されて、上記第３の錠リングに開設されてある嵌入孔内に取付けられ、そして、上記鍵は、ブレード部の周面に、前記第３のピン突出端に対応して凹部が設けられていることを特徴とする請求項８に記載のシリンダ装置。
【請求項１１】
上記錠シリンダの胴周りに径方向に開設されたホールに軸方向に並列する複数の第１、第２と第３のピンをそなえたピンユニットを嵌入し、上記錠プラグの胴部に、上記ピンユニット中の第３のピンを嵌設するための通孔が複数個設けられており、上記ホール内に圧縮ばねが設けられ、該圧縮ばねの一端が前記第１のピンの一端と当接させてあり、上記錠プラグの通孔の設置箇所に対応して上記錠リング中第３の錠リングの周縁それぞれに嵌入孔が設けられ、前記第３のピンは、中間部の径が両端部より大きいつば付円柱体に形成されると共に、その前記第３の錠リング寄りの端部の周囲にコイルばねが付勢外装され、上記第３の錠リングに開設されてある嵌入孔内に取付けられ、そして、上記鍵は、ブレード部の周面に、前記第３のピン突出端に対応して凹部が設けられてなる請求項８に記載のシリンダ装置。
【請求項１２】
上記第３の錠リングの嵌入孔内には、両端に丁度上記第３のピンの両端部それぞれが突出可能で且つ上記つばと当接できる凸縁が形成されている中空筒体のスリーブを嵌装してなることを特徴とする請求項１０または１１に記載のシリンダ装置。
【請求項１３】
上記ピンユニットを２組、上記第３の錠リングに、２列並べて設けられた嵌入孔それぞれに挿入すると共に、上記錠シリンダのリブ上面にも２列並びにホールを開設嵌挿してなることを特徴とする請求項１０または１１に記載のシリンダ装置。
【請求項１４】
請求項１に記載の錠シリンダ装置と、箱状をして中空内部に上記錠シリンダ装置が格納される曲面をしたシリンダ部が設けられると共に、両側端にそれぞれ内外部にかけてソケット孔を開設し、上端側に係止室が設けられると共に、底部に上記錠シリンダの取付座を嵌着できる開口が設けられるケースと、上記ケースのソケット孔内にそれぞれ嵌挿してなる脚部を有すると共に、該脚部側面に上記ケース内部に向って切込を少なくとも一つ設けてなるシャックルと、上記ケース内部に取付けた係止手段とを含むロック装置において、
上記錠シリンダが上記ケースの開口より挿入され、上記係止手段により係止されており、
上記反転部材には中空状本体を有し、該本体の上面部に少なくとも対角位置より挿入孔が設けられると共に、横側の開口より本体の内腔部にプランジャが嵌装され、該プランジャの後端部の通孔に圧縮ばねが設けられ、該開口はカバーによって被われてなり、
上記係止手段は、少なくとも一つの本体に延伸部が該本体の一端面より延設され、上記反転部材の挿入孔に対応して嵌挿できる挿入ピンが、該延伸部の該挿入孔と対面する側に設けられると共に、他端部の両側縁沿いに案内耳が突出形成されるロック装置。
【請求項１５】
上記反転部材のプランジャが上記ばねによって前記シャックルの一切込に付勢嵌入されると共に、該係止手段の本体の一部が他切込に嵌入され、且つ、該係止手段の案内耳が上記ケースの係止室の対応するグローブに滑り可能に遊嵌されてなる請求項１４に記載のロック装置。
【請求項１６】
上記係止手段の本体が前記シャックルの一切込に嵌入されると共に、上記反転部材のプランジャが係止手段の本体側へ向うように配置されてなる請求項１４に記載のロック装置。
【請求項１７】
上記ケースのシャックル寄りの外周壁に、ケース内部へ貫通できる穴を貫設して固定手段により上記錠シリンダを締付け固定する請求項１４に記載のロック装置。
【請求項１８】
上記固定手段は、ねじロッドとナットである請求項１７に記載のロック装置。
【請求項１９】
上記プランジャは、上記反転部材上のカム部に厚幅な第１端部から薄幅な第２端部にかけて円弧形凹部を形成すると共に、底部が一部反転部材の上に一体連結するように形成され、
上記係止手段は、該上面部の上記延伸部の下側に前記プランジャのカム部の外周面と滑接するよう突縁が形成されている請求項１４に記載のロック装置。
【請求項２０】
上記反転部材は、上面に設けられた挿入孔が円弧形に形成され、後端部それぞれからさらに連続してスロットが横へ曲折して形成され、
該スロットは横幅が幅広の上壁部と幅狭な下壁部と段付きに形成され、そして、
上記係止部材の延伸部は該本体の一端縁部に突設され、該一端縁部と反対の他端側稜線が角取りされて斜面部となると共に、該延伸部の挿入ピンとして前記円弧形凹部及び前記スロットに遊嵌するよう前記上壁部と下壁部と対応して径の違う段付が形成されている請求項１４に記載のロック装置。
【請求項２１】
上記反転部材は、上面に設けられた挿入孔が円弧形に形成され、後端部それぞれからさらに連続してスロットが横へ曲折して形成され、
該スロットは横幅が幅広の上壁部と幅狭な下壁部と段付きに形成され、そして、
上記係止部材の延伸部は該本体の一端縁部に突設され、該一端縁部と反対の他端側稜線が角取りされて斜面部となると共に、上記係止手段の挿入ピンを上記スロットの幅広な上壁部間の横幅とほぼ同じまたはやや大きい直径に形成する請求項１４に記載のロック装置。
【請求項２２】
請求項１に記載の錠シリンダ装置と、箱状をして中空内部に上記錠シリンダ装置が格納される曲面をしたシリンダ部が設けられると共に、両側端にそれぞれ内外部にかけてソケット孔を開設し、上端側に係止室が設けられると共に、底部に上記錠シリンダの取付座を嵌着できる開口が設けられるケースと、上記ケースのソケット孔内にそれぞれ嵌挿してなる脚部を有すると共に、該脚部側面に上記ケース内部に向って切込を少なくとも一つ設けてなるシャックルと、上記ケース内部に取付けた係止手段とを含むロック装置において、
上記錠シリンダが上記ケースの開口より挿入され、上記係止手段により係止されており、
上記反転部材には中空状本体を有し、該本体の上面部に少なくとも対角位置より挿入孔が設けられると共に、横側の開口より本体の内腔部にプランジャが嵌装され、該プランジャの後端部の通孔に圧縮ばねが設けられ、該開口はカバーによって被われてなり、
上記係止手段は、少なくとも一つの本体にそれぞれ延伸部が本体の上面部から横方向に突出して延伸され、該延伸部の延伸端部の反転部材と対面する側に挿入ピンが突設されており、プランジャが前記本体下部から横向き延伸されると共に、下部それぞれに案内耳が突設され、
上記反転部材は、上部に前記挿入ピンに対応して挿入孔が設けられており、前記プランジャに対応して縦みぞが設けられ、該縦みぞそれぞれの底部から横へ横みぞが形成されている延伸部が該本体の一端面より延設されてなり、上記反転部材の挿入孔に対応して嵌挿できる挿入ピンが、該延伸部の該挿入孔と対面する側に設けられると共に、他端部の両側縁沿いに上記ケースの係止室にあるグローブに滑動可能な案内耳が突出形成されるロック装置。
【請求項２３】
上記反転部材の挿入孔の少なくとも一つが楕円形に形成されている請求項１４または２２に記載のロック装置。
【請求項２４】
上記ケースのグローブ内には、上記係止手段がその内部で滑動可能に覆われる高強度合金により造られたシールドが設けられている請求項１４または２２に記載のロック装置。
【請求項２５】
上記錠シリンダの鍵孔を塞ぐようにカバー手段が設けられ、該カバー手段は該鍵孔へ延伸するカバー部材を有するプレートをそなえ、該カバー部材は該鍵孔へ突入するように形成されると共に、該プレートは枢止ナックルの一端部外周に複数の凹部が設けられており、上記錠シリンダの近くに貫設された深孔内にばねが設けられ、該ばねの先端が該プレートの枢止ナックルに当接させるようクリック手段を設け、該クリック手段により前記凹部を歯止めさせる請求項１４または２２に記載のロック装置。
【請求項２６】
上記クリック手段は、ばねに押圧付勢されたボールである請求項２５に記載のロック装置。
【発明の詳細な説明】
【０００１】
【発明の属する技術分野】
本発明は、ロック装置に関し、特に使用寿命が長く、盗難防止性に優れたシリンダ装置及び該シリンダ装置をそなえたロック装置に関する。
【０００２】
【従来の技術】
先行技術として図４４に示す実用新案登録第３０４９９１３号には、空胴２１１を有する錠プラグ２１０、該錠プラグ２１０の後端に嵌合固定する反転部材２２０、該錠プラグ２１０の外周に滑り外嵌する錠シリンダ２３０、錠プラグ２１０の空胴２１１内に回転可能に設けられて鍵で回転されるとピンを動かすことができる複数の錠リング２５０、錠プラグ２１０の空胴２１１内の奥側に設けられた伝動環２６０、それぞれ上記錠リング２５０及び上記伝動環２６０を正しい間隔に保持する複数のステー座金２７０、及び四分の三円の断面に形成され前記錠リング２５０と伝動環２６０の中心孔に挿入できる鍵２９０によって構成されるシリンダ装置２００が開示されている。この考案によれば、鍵２９０が少なくとも１８０度の角度範囲内でコード変化を提供でき、棒材から造られるため鍵の強度及びコードの組合わせ数を多くすることにより、盗難防止性が優れるが、なおも盗難防止性が向上した錠のシリンダ装置が求められる。
【０００３】
また、ロック装置としては、例えば特許第２９１１８８０号には、プラグ３１０の内部に該プラグ３１０が嵌着できるシリンダ部３２１が設けられるケース３２０、該ケース３２０に設けられたソケット孔３２２内に長さが違う両端部を嵌挿するＵ字形状の桿体であるシャックル３３０、及び上記シリンダ部３２１上端側に交差状に配設される両係止バー３４０などを含む南京錠３００が開示されている。この例であっても、盗難防止性や施錠操作性に優れた南京錠が得られるが、なおも、盗難防止性及び強度を向上させるロック装置が求められる。
【０００４】
【発明が解決しようとする課題】
本発明の目的は、使用寿命が長く盗難防止性が優れたシリンダ装置及びロック装置を提供することにある。
【０００５】
【課題を解決するための手段】
上記課題を解決するため、本発明は、空胴を有する錠プラグ、該錠プラグの後端に嵌合固定する反転部材、該錠プラグの外周に滑り外嵌する錠シリンダ、該錠プラグの空胴内に設けられそれぞれ中心孔が貫設された複数の錠リング、該錠プラグの空胴内の奥側に設けられて中心孔及び中心孔へ凸出する扇形凸出部が形成される伝動環、それぞれ上記複数の錠リング及び上記伝動環を正しい間隔に保持する複数のステー座金、及び、そのブレード部が四分の三円の断面をなして前記錠リングと伝動環のそれぞれの中心孔に挿入できる鍵によって構成されるシリンダ装置であって、上記錠リングは、それぞれの内周縁より前記中心孔へ扇形凸出部が凸出されると共に、それぞれの外周縁に前記扇形凸出部と所定のコードに基づく位相角度の差だけ外れた位置に切欠凹部を凹設し、複数の錠リングの中の一つの第１の錠リングがさらに内周縁より中心孔へ凸部を形成し、そして前記鍵は、摘み部とブレード部によって形成され、該ブレード部に軸沿いに所定長さ部分を異なる所定のピッチに切り込んで複数歯が並んだ歯刻みを凹設し、さらに該ブレード部の該歯刻みと反対の周面に前記第１の錠リングの凸部と対応して軸沿いに長溝が形成されることを特徴とする。
【０００６】
また、上記伝動環にその内周縁より中心孔へ凸部が形成され、上記鍵のブレード部の上記反転部材寄りの一端に突出した伝動部が形成されており、該伝動部の外周縁に前記伝動環の凸部と対応してスロットが形成されることが好ましい。
【０００７】
また、上記錠プラグの先端にさらに保護リングが設けられており、該保護リングに中心孔が貫設されており、さらに前記鍵の長溝と対応して該中心孔へ凸出する凸部が形成されることが好ましい。
【０００８】
また、上記錠リングの中の一つの第２のリングの肉厚を他の錠リングより厚くし、上記鍵の歯刻みの複数歯における一つの歯が前記第２のリングの肉厚に対応して厚くなるようにすることが好ましい。
【０００９】
以上により、従来のコード破壊難度を低減することなく、本発明の錠のシリンダ装置の各部材と鍵との組合わせにより、少しでもコードが違ったら同型の鍵を嵌挿しても解錠することはできないので、盗難防止性が向上されたシリンダ装置が得られる。さらに、本発明のシリンダ装置を異なる規格に合せて造れば、各種タイプの錠前に適用することができる。
【００１０】
【発明の実施の形態】
図１乃至図３を参照すると、本発明に係る好ましい第１実施例のシリンダ装置１は、内腔部１１０を囲んだ錠ケース１１の先端に鍵孔１１２が形成されて錠プラグ１２の外周に滑り外嵌する筒状錠シリンダ１０、内部に空胴が形成された円筒状の胴部１２０の軸沿いに長方形スロット１２５が開設されている錠プラグ１２、該錠プラグ１２の空胴内に設けられそれぞれ中心孔１３１が貫設されている複数の錠リング１３、中心孔１５１が設けられると共に該錠プラグ１２の空胴内に装設される円環である伝動環１５、複数のそれぞれ錠リング１３及び伝動環１５を正しい間隔に保持する円環状ステー座金１４、該錠プラグ１２胴部１２０の後端に嵌合固定する栓体である反転部材３０、及び、前記鍵孔１１２を通して上記錠リング１３及び伝動環１５の中心孔１３１、１５１に挿入できるほぼ棒状のブレード部２１が設けられた鍵２０をそなえてなる。前記錠シリンダ１０の内腔部１１０内周壁には、前記錠プラグ１２のスロット１２５と対応して軸沿いにキャッチ溝１１５が設けられており、該スロット１２５から該キャッチ溝１１５内に丸棒状係止棒１２４の断面半分がほぼ直径の半分まで横たわって陥没定位できるようになっている。
【００１１】
複数の錠リング１３は、その数は鍵２０の歯刻みの歯数に対応して適宜に配設されることができ、各錠リング１３の中心孔１３１の内周縁より中心孔１３１へ扇形凸出部１３４が形成されると共に、それぞれの外周縁の前記凸出部１３４と所定のコードに基づく位相角度の差だけ外れた位置にも上記係止棒１２４の直径の半分が陥没定位できる切欠凹部１３２が形成されて、コード組合わせに従った位相角度位置に各錠リング１３が並べば、それぞれの切欠凹部１３２が一直線に揃うことになる。
【００１２】
複数のステー座金１４は、外周縁に凸片１４１が設けられてあり上記錠リング１０の胴部に設けられた長溝１２７（図７）内に凸片１４１を係着定位できるようになっている。
【００１３】
そして、上記伝動環１５には、その内周縁に前記中心孔１５１へ凸出する扇形凸出部１５３が形成され、その外周縁に軸方向に突出した伝動ロッド１５４が形成されている。
【００１４】
上記反転部材３０は、錠プラグ１２の後端に嵌合固定する円筒体であって、その後端が軸の直交方向へ伸出する所定規格形状の所定のカムと、先端が所定の可動部材３１とに形成されている。
【００１５】
上記鍵２０は、摘み部２２とブレード部２１によって形成され、ブレード部２１は、長棒状軸体をほぼ四分の三円の断面になるよう形成してなり、軸沿いに所定長さ部分を複数の歯数が均等なピッチをなす歯刻み２４を凹設している。さらにブレード部２１の先端に突出した伝動部２３が形成されている。
【００１６】
以上の構成によれば、コード組合わせの変化によって盗難防止性をそなえるが、なおも後述の構成によってより向上された盗難防止性を提供することができる。
【００１７】
即ち、上記複数の錠リング１３の中の一つの第１の錠リング１３Ａには、さらに内周縁より中心孔１３１へ凸部１３３が形成され、そして前記鍵２０には、該ブレード部２１の該歯刻み２４が設けられた切込面２１２とは逆側の周面２１３に、前記第１の錠リング１３Ａの凸部１３３と対応して軸沿いに長溝２５が形成される。
【００１８】
このようにして、図３に示されているように、上記鍵２０の長溝２５が前記第１の錠リング１３Ａの凸部１３３と嵌合わない限り、該鍵２０で施錠解錠することができないので、長溝２５を形成していない同類型の鍵でも解錠できない。なお、嵌合う凹凸構造であれば限定されることなく、例えば前記第１の錠リングに凹部を設け、対応して鍵にリブを設けることによっても同様な効果が得られる。
【００１９】
また、上記伝動環１５に、その内周縁より中心孔１５１へ凸部１５２が形成されると共に、上記鍵２０の該伝動部２３の外周縁に、前記伝動部２３の凸部１５２と対応して凹溝２３１が形成される。図４に示すように、前記伝動環１５の凸部１５２と前記鍵の凹溝２３１と嵌め合うようにすると共に、前記伝動環１５の凸部１５２の設置角度を前記鍵２０の切込面２１２の角度に合せてシフト又は同一のように形成すれば、さらにコードの組合わせ数を増やすことができるので、盗難防止性を向上させることができる。
【００２０】
上記錠プラグ１２の先端には、さらに円環状保護リング１６が設けられ、該保護リング１６に中心孔１６１が貫設されている。該保護リング１６は、他の手工具をもって錠シリンダ１０に挿入しても、３６０度の空転をするのみで、錠破りの目的を達し得ないものである。該保護リング１６は、さらに前記鍵の長溝２５と対応して該中心孔へ凸出する凸部１６２が形成される。上記錠リング１３Ａの凸部１３３と共に上記鍵２０の長溝２５と嵌め合すことができるので、盗難防止性をより一層向上させる。
【００２１】
また、上記錠リングの中の一つの第２のリング１３ａの肉厚を他の錠リング１３よりも厚くすると共に、位置が対応する上記鍵２０の歯刻み２４の複数歯における一つの歯２４ａを前記第２のリング１３ａの肉厚と対応して厚くするようにすると、同類型の鍵であっても施錠解錠できないので、盗難防止性を向上させることができる。
【００２２】
なお、上記錠リング１３及びステー座金１４が定位リング１７を介してそれぞれ上記錠プラグ１２の胴部１２０の前方へ内嵌する際、下記の手段により緊密に締め付けることによりがたつくことをなくする。即ち、図５に示しているように、後端に上記反転部材３０が取付けられた該錠プラグ１２の胴部１２０内に前端側から、前記錠リング１３と前記ステー座金１４とを該定位リング１７を介して嵌込んだ状態で、該錠プラグ１２の先端部で、該錠プラグ１２の内周端縁と該定位リング１７との適当箇所例えば図示の３箇所１２１、１２１、１２１で半田付けることにより緊密に固定定位することができる。また、図６に示すように、該錠プラグ１２の先端縁の適当箇所例えば３箇所に各２箇所の切目を形成した後、内向き直角に突出するよう折曲げた耳１２２、１２２、１２２によって、前記定位リング１７を締付て隙間無く緊密に固定定位することもできる。また、図７のように、弾性リング１８によってリング溝１２６へ押し入れ上記定位リング１７を押付けるようにして上記錠リング１３及び上記ステー座金１４を緊密に固定定位することもできる。
【００２３】
本発明のシリンダ装置は、無制限に３６０度回転できる錠リング１３の他に、錠リングの回転角度を制限することにより、シリンダ装置の組合わせを増やすことができる。即ち、図８に示すように、錠プラグ１２ａの胴部１２０ａの内周軸沿いに、錠リング回転許容角度がほぼ１８０度かやや１８０度以下となるように内周縁より凹陥部１２３を凹設すると共に、錠リング１３中の複数の第３の錠リング１３ｂそれぞれに該凹陥部１２３に突出するラグ１３４ｂを形成することによって、錠リング１３ｂのラグ１３４ｂが前記プラグ１２ａの凹陥部１２３によって限られた範囲内で遊動することができることにより、施錠解錠の際、錠リング１３ｂが回転できる範囲が小さければ、早く全部の錠リングを尽く着脱位置にそろえることができ、簡単な錠前に利用できるが、回転範囲が大きければ、全部の錠リングをそろえる時間がかかるので、重要な錠前に利用できる。このように、回転範囲の大小をコードの組合わせとも兼ね合せて錠前の利用性及び盗難防止性をより一層高めることができる。
【００２４】
また、図９のように、錠リング１３ｂの１つと定位座金１７との間に制止座金１４ａが設けられており、該制止座金１４ａの中心孔１４１ａに内周縁へ向けて１／４円の扇形突出部１４２ａを形成すると共に、鍵２０ｂの歯刻み２４Ａにおいて前記突出部１４２ａに対応する位置の歯２４ｂが１８０度切り込まれている（図９）。この構成によると、図１０、１１が示すように、鍵２０ｂの回転時歯２４ｂが前記制止座金１４ａの突出部１４２ａに制限される。鍵２０ｂがシリンダ装置内に挿入されて解錠、施錠をする際、鍵２０ｂの歯２４ｂ同志の切込角度が同じであれば、鍵２０ｂが対応する錠リングに対し軸方向にシフトする恐れが生じるため、上記歯２４ｂが前記座金１４ａによって制止されることにより、歯刻み２４Ａと錠リングとを常に合せることができ、鍵は軸方向にシフトすることはなく、これによって引掛って回転しない恐れをなくし、解錠施錠の動作も滑らかになる。
【００２５】
上記の実施例のシリンダ装置１における錠プラグ１２ａ、錠リング１３及び定位座金などを、別の錠シリンダ１０ａ及び鍵２０Ａ（図１２）と合せることもできる。この構成によって、盗難防止性はより一層向上される。
【００２６】
即ち、図１２、１３に示している次の実施例のシリンダ装置２は、錠プラグ１２ｂの胴部１２０ｂに第１、第２と第３のピン１９１、１９２と１９３をそなえた複数のピンユニット１９中の第３のピン１９３を嵌設するための通孔１２７ｂが複数個設けられている。錠シリンダ１０ａをなすピンタンプラシリンダ１１ａの軸方向に沿って延伸してなるリブ１０１ａ内にも複数の前記通孔１２７ｂと対応して径方向に平行してホール１１３ａ、１１３ａ、．．．が形成されると共に、それぞれのホール１１３ａ内に圧縮ばね１９４が設けられ、該圧縮ばね１９４の一端が前記第１のピン１９１の一端と当接させている。そして、上記錠プラグ１２ｂの通孔１２７ｂの設置箇所に対応して上記錠リング１３中第３の錠リング１３ｃにそれぞれ嵌入孔１３３ｃが設けられている。なお、前記第３のピン１９３は中間部の径が両端部より大きいつば付円柱体に形成されると共に、その第３の錠リング１３ｃ寄りの端部の周囲にコイルばね１９６が付勢外装され、前記第３の錠リング１３ｃに開設されてある嵌入孔１３３ｃ内に取付けられている。取付上、該嵌入孔１３３ｃの両端に丁度該第３のピン１９３の両端部それぞれが突出可能で且つ上記つばが当接できる凸縁が形成されている中空筒体のスリーブ１９５を嵌装するものとする。
【００２７】
ここで、図１３に示す如く、上記嵌入孔１３３ｃ、１３３ｃ、．．．はそれぞれ上記第３の錠リング１３ｃ、１３ｃ、．．．の外周縁に、前記複数の通孔１２７ｂの配置と対応して設けられており、それぞれの嵌入孔１３３ｃは径が大小違う開口が上下端に開設されている。前記ピンユニット１９は第１のピン１９１が圧縮ばね１９４により付勢され、錠プラグ１２ｂ胴部１２０ｂの通孔１２７ｂを通り第２のピン１９２を介して前記嵌入孔１３３ｃの大開口より前記第３のピン１９３を押し前記嵌入孔１３３ｃの小開口から上記錠リング１３ｃの中心孔１３１ｃに突出するようにされ、錠シリンダ１０ａに対し錠プラグ１２ｂと錠リング１３ｃのそれぞれが順にピン１９１、１９２により回らないようロックされてなる。
【００２８】
また、鍵２０Ａは、鍵ブレード２１の周面２１３Ａに、前記第３のピン１９３突出端に対応して凹部２６が複数個設けられている。
【００２９】
次に、図１４乃至図１７を参照して、鍵２０Ａが鍵孔１１２ａより挿入施回されたとき、上記ピンユニット１９、錠シリンダ１０ａ及び錠プラグ１２ｂなどの動作を説明する。
【００３０】
該鍵２０Ａが挿入されると、上記ピンユニット１９の第３のピン１９３と当接して前記第２のピン１９２へ動かされ、第２のピン１９２を介して前記第１のピン１９１の方へ移動し、上記圧縮ばね１９４が圧縮される。次いで該第３のピン１９３が該鍵２０Ａの周縁２１３Ａに設けられた凹部２６に嵌入られ（図１４）、続いて回転、例えば図示のように時計回り方向へ回せば、前記第３のピン１９３が前記第２のピン１９２と離れ、前記ばね１９６により前記錠プラグ１２ｂの凹陥部１２３ｂに突出する（図１５）と共に、前記鍵２０Ａの凹部２６から外れて、鍵２０Ａの歯刻み２４ｂの歯が前記錠リング１３ｃの扇形凸出部１３４ｃの一端縁と当接し（図１６）、該鍵２０Ａが該錠リング１３ｃと共に回り、該錠リング１３ｃの切欠凹部１３２に前記錠シリンダ１０ａのキャッチ溝１１５と前記錠プラグ１２ｂのスロット１２５とに嵌められている係止棒１２４が移動時キャッチ溝１１５の斜面に推されてスロット１２５へ突出し径の半分が陥没定位できるようになる。
【００３１】
従って、本発明の構成によれば、さらに施錠解錠の困難度を高めることができるので、盗難防止性を向上させることができる。なお、本発明は、例えば図１８、図１９に示す如く、２組ずつのピンユニット１９、１９．．．を一つの錠リング１３ｄに２列並べて設けられた嵌入孔１３３ｄ、１３３ｄ．．．それぞれに挿入できるよう錠シリンダ１０ｄのリブ１０１ｄ上面にも２列並びにホール１１３ｄ、１１３ｄ、．．．を開設嵌挿するようなシリンダ装置、或いは、図２０、図２１に示す如く、錠シリンダの胴周りに径方向に開設されたホールに軸方向に並列する複数の第１、第２と第３のピンをそなえたピンユニット１９、１９を嵌入し、上記錠プラグの胴部に、上記ピンユニット１９中の第３のピンを嵌設するための通孔が複数個設けられており、上記ホール内に圧縮ばねが設けられ、該圧縮ばねの一端が前記第１のピンの一端と当接させてあり、上記錠プラグの通孔の設置箇所に対応して上記錠リング中第３の錠リングの周縁それぞれに嵌入孔が設けられ、前記第３のピンは、中間部の径が両端部より大きいつば付円柱体に形成されると共に、その前記第３の錠リング寄りの端部の周囲にコイルばねが付勢外装され、上記第３の錠リングに開設されてある嵌入孔内に取付けられ、そして、上記鍵は、ブレード部の周面に、前記第３のピン突出端に対応して凹部が設けられてなるようなシリンダ装置にも利用できるので、上記のように盗難防止性を向上させることができる。
【００３２】
そして、本発明の錠のシリンダ装置を色々なロック装置に利用することができることは言うまでもない。以下、南京錠のようなロック装置に利用する場合について説明する。
【００３３】
南京錠５００は、図２２に示す如く、ケース４０、シャックル５０、係止手段６０、錠シリンダ１０Ａなどを含む。
【００３４】
ケース４０は、箱状をして中空内部に錠シリンダ１０Ａが格納される曲面をしたシリンダ部４０１が設けられ、該ケース４０の両側端にそれぞれ内外部にかけてソケット孔４０４、４０５を開設すると共に、底部に上記錠シリンダ１０Ａの鍵孔の取付座を嵌着できる開口４０２が設けられる。
【００３５】
上記シャックル５０は、上記ケース４０のソケット孔４０４、４０５内にその長、短脚部５１、５２を嵌挿するＵ字形の桿体であって、長、短脚部５１、５２互いの対向側面（上記ケース内部に向って）にそれぞれ切込５３、５３を設け、該長脚部５１の切込５３の下側に長手沿いのスリット５４が切込み形成されると共に、先端部に輪みぞ５５が形成されている。
【００３６】
上記反転部材３０は、図２３に示す如く、中空状本体３０１の上面部３０２対角位置より挿入孔３５、３５が設けられると共に、横側の開口より内腔部３１１にプランジャ３３が嵌装され、該プランジャ３３の後端部に設けた通孔に圧縮ばね３２が設けられ、開口はカバー３４によって被われている。
【００３７】
上記係止手段６０は、一または二つ設けることができるが、本実施例の場合は図２３に示す如く、ほぼ直方体の本体６１に、延伸部６３が該本体６１の一端面より延設されてなり、上記反転部材３０の一挿入孔３５に対応して嵌挿できる挿入ピン６４が、該延伸部６３の該挿入孔３５と対面する側に設けられると共に、該係止手段６０の他端部の両側縁沿いに案内耳６２、６２が突出形成されてなる。
【００３８】
図２４Ａ、２４Ｂは、南京錠５００の施錠状態を示す側断面図及び横断面図である。錠シリンダ１０Ａが上記ケース４０の開口４０２より挿入されケース４０内部上端側の係止室４０３に取り付けた係止手段６０により適当な部位に係止され（図において錠シリンダ１０Ａが右側、係止手段６０が左側にある）、反転部材３０のプランジャ３３がばね３２によって前記シャックル５０の短脚部５２の切込５３に付勢嵌入されると共に、該係止手段６０の本体６１の一部が長脚部５１の切込５３に嵌入され、且つ、該係止手段６０の案内耳６２が該係止室４０３の対応するグローブ４０８に滑り可能に遊嵌されてある。
【００３９】
図２５Ａ、２５Ｂは、南京錠５００の解錠状態を示す側断面図及び横断面図である。鍵を錠シリンダ１０Ａに挿入かつ回転すると、反転部材３０が回転し前記プランジャ３３が例えば反時計回りへ回転されると共に切込５３から抜け出し、ケース４０のシリンダ部４０１の壁の曲面により圧迫され、前記反転部材３０の内腔部３１１内へ引込むと同時に、上記係止手段６０の本体６１が前記反転部材３０の回転に連れてグローブ４０８に沿って反転部材３０の方へ移動され、切込５３から脱出し、前記シャックル５０の短脚部５２及び長脚部５１がばね４２の反撥力によって上方へ上昇し、前記長脚部５１の先端部がケース４０内に設けられる止鉤４１に抵触制止され、ソケット孔４０４より抜け出さないようになる。
【００４０】
なお、ケース内における錠シリンダ１０Ａと反転部材３０のそれぞれの形状は前記の態様の他に下記のように形成することもできる。例えば図２６Ａ、２６Ｂのように、係止手段６０の本体６１が前記シャックル５０の短脚部５２の切込５３に嵌入されると共に、前記錠シリンダ１０Ａは上記ケース４０ａの図中の左側寄りに配置され反転部材３０のプランジャ３３が係止手段６０の本体６１側へ向うような構成配置などである。
【００４１】
このように、錠のシリンダ装置と係止手段との組合わせにより、錠前の変化を増やすことができる。
【００４２】
なお、図２４のロック装置５００において、例えばケース４０のシャックル５０長脚部５１寄り周壁に、ケース４０へ貫通できる穴４０６を貫設して固定手段例えばねじロッド４４、ナット４３を介して錠シリンダ１０Ａを締付け固定することもできる。これによって、正確な解錠操作を経てシャックルをケースから取り出せば、手工具により錠シリンダ１０Ａを素早く取り外したり取付けたりすることができる。さらに、図２６のロック装置において、穴４０６でなしにケース４０ａのシャックルの短脚部５２側の周壁より穴４０７ａを貫設することにより、錠シリンダを取替えるようにすることもできる。
【００４３】
また、図２７Ａ、２７Ｂのようなロック装置６００（施錠状態）にも利用できる。即ち、一文字のボルト６２０を用いたロック装置６００は、図において左右両端よりフレーム６１０、６１０Ａがケース６１２から縦向きに平行延伸して門形をなし、左フレーム６１０には横向きに貫挿孔６１４が形成され、右フレーム６１０Ａには前記貫挿孔６１４に向って開口する盲ホール６１４Ａが設けられ、ばね６１６Ａの一端が該ホール６１４Ａの底面に縮設されると共に、該ばね６１６Ａの他端が前記ボルト６２０の一端と当接させている。該ボルト６２０の前記一端側には直径方向の通孔があって小ばねが固定され、このばねの他端に係止ピン６２１が常時付勢突出するように嵌設されている。係止ピン６２１は、これにより小ばねの弾性力により右フレーム６１０Ａ内に設けられた凹溝に常時当接させることができる。該ボルト６２０の他端側には、切込６２２が設けられており、係止手段６３０の本体が該切込６２２に嵌入されると共に、該係止手段６３０の延伸部に設けられた挿入ピン６３１が、横向きに配設された錠シリンダ１０Ａの反転部材３０の挿入孔３５に嵌挿されることができる。
【００４４】
この構成によると、解錠する際、プランジャ３３が反転部材３０の回転と共に回転されると同時に、係止手段６３０は前記切込６２２から脱出することができ、ばね６１６Ａの弾性力により該ボルト６２０を前記ホール６１４Ａから弾出され解錠することができる。
【００４５】
なお、上記ロック装置において、錠シリンダと係止手段との組合わせにより施錠解錠をするが、図２８Ａ、２８Ｂに示すロック装置１００の如く、錠シリンダ１０Ａが反転部材３０のプランジャ３３のみにより、該プランジャ３３がグローブ１０１を経由してシャックル１３０の切込１０２に嵌入、脱離して、施錠解錠するように構成することもできる。
【００４６】
また、前記プランジャは、例えば図２９のように、反転部材と一体成型することもできる。図２９は、係止手段６０ａと反転部材３０ａそれぞれを示す斜視図、図３０Ａは、該係止手段６０ａと反転部材３０ａを用いたロック装置５００ａが施錠状態である形態を概略示す縦断面図、図３０Ｂは、該ロック装置５００ａの横断面図である。
【００４７】
該プランジャ３３ａは、反転部材３０ａ上のカム部３６ａに厚幅な第１端部３５４ａから薄幅な第２端部３５５ａにかけて円弧形凹部３５ａを形成すると共に、底部３０２ａが一部反転部材３０ａの上に一体連結するように形成されている。該係止手段６０ａは、図において本体のベース６２ａが上面部６１ａの底部より左右に突出延伸され、上方の延伸部６３ａが該上面部６１ａより前方へ延伸して形成され、該延伸部６３ａの前端の前記プランジャ３３ａと対面する側に前記凹部３５ａに嵌入できると共に遊動可能に挿入ピン６４ａが形成されると共に、該上面部６１ａの上記延伸部６３ａの下側に前記プランジャ３３ａのカム部３６ａの外周面と滑接するよう突縁６５ａが形成されている。
【００４８】
次いで、図３０Ａ、３０Ｂに示す例として、ロック装置５００ａは、施錠状態において該プランジャ３３ａの底部３０２ａがシャックル５０ａの短脚部５２ａの該切込５３ａに嵌入されると同時に、該係止手段６０ａの挿入ピン６４ａが前記プランジャ３３ａの凹部３５ａ（第２端部３５５ａ側）に遊嵌されると共に、前記係止手段６０ａの本体は前記シャックル５０ａの長脚部５１ａの切込５３ａに嵌入される。
【００４９】
図３１Ａ、３１Ｂは、該ロック装置５００ａの解錠状態の縦断面図及び横断面図である。正確な鍵で錠シリンダ１０ｂに挿入回転すると、反転部材３０ａが回転すると共に、前記挿入ピン６４ａが前記凹部３５ａに従動して上記第１端部３５４ａへ遊動され、前記プランジャの底部３０２ａが前記短脚部５２ａの切込５３ａから脱離されると同時に、前記係止手段６０ａの本体が前記の遊動にともなって移動され、前記長脚部５１ａの切込５３ａから脱離されることによって、解錠することができる。
【００５０】
また、反転部材と係止手段との他の組合わせ態様によるロック装置を、図３２、図３３に示す。反転部材３０ｂは、図３２に示すように上面に例えば一対の円弧形凹部３５ｂ、３５ｂが開設され、それぞれの後端部３５１からさらに連続してスロット３５２が横へ曲折して形成される。該スロット３５２は横幅が幅広の上壁部３５２ａと幅狭な下壁部３５２ｂと段付きに形成されている（図３４参照）。そして係止部材６０ｂの本体６１ｂの一端縁部に延伸部６３ｂが突設され、該一端縁部と反対の他端側稜線が角取りされて斜面部６８ｂとなっている。該延伸部６３ｂには前記円弧形凹部３５ｂ及びスロット３５２に遊嵌するよう前記上壁部３５２ａと下壁部３５２ｂと対応して径の違う段付の挿入ピン６４ｂが形成されている（図３４に参照）。また、該係止手段６０ｂの本体６１ｂにねじロッド６６ｂが立設され、ばね６７ｂが錠シリンダ１０ｅと該ねじロッド６６ｂとの間に突っ張り付勢状に縮設され、図示例の場合、シャックル８１０が完全にソケット孔８２０から抜取られるロック装置８００において、前記ばね６７ｂにより、前記係止手段６０ｂを常に嵌挿孔８２０を係止するの方へ付勢させる。
【００５１】
図３３Ａ、３３Ｂは、ロック装置８００の施錠状態を示す縦断面図及び横断面図である。なお、図３２では係止手段６０ｂを一つしか示していないが、理解しやすくするため、図３３Ｂでは二つの係止手段６０ｂを背向状に示している。該ロック装置８００は、シャックル８１０の両端部がソケット孔８２０、８２０に挿入されるとき、シャックル８１０の両端部がそれぞれ前記係止手段６０ｂの本体６１ｂの斜面部６８ｂと突き当たり、上記段付き挿入ピン６４ｂが前記凹部５３ｂの端部３５１からさらに前記スロット３５２の方へ後退移動されると、前記シャックル８１０の両端部がさらにソケット孔８２０の奥に挿入し（図３５に参照）、前記係止手段６０ｂの本体６１ｂが前記ばね６７ｂにより切込８１３に嵌入されると同時に、該挿入ピン６４ｂが前記凹孔３５ｂの後端部３５１に復帰され、ロックすることができる。
【００５２】
なお、上記の態様は鍵がない状態でロックすることができるロック装置であるが、鍵を挿入したまま解錠施錠するロック装置においては、上記係止手段の挿入ピンをスロット３５２に入込まないようにすればよい。例えば図３６のように、該挿入ピン６４ｃを、幅広な上壁部３５２ａ、３５２ａ間の横幅とほぼ同じまたはやや大きい直径に形成することによって、前記スロット３５２に入込めない状態にすることができる。
【００５３】
上記態様においては、プランジャ（３３、３３ａ）はいずれも反転部材（３０、３０ａ、３０ｂ）に取付けられているが、勿論、後述のように係止手段（６０ｄ）に設けても上記のいずれとも同じ効果が得られ、例えば図３７にそれを示す。図３８、３９、４０それぞれはこの組合わせ態様のロック装置を概略示す縦断面図、該ロック装置の施錠状態を示す横断面図、該ロック装置の解錠状態を示す横断面図である。図３７においては、係止手段６０ｄは例えば二つ対になってそれぞれ延伸部６１ｄが本体の上面部から横方向に突出して延伸され、該延伸部６１ｄの延伸端部の反転部材３０ｃと対面する側に挿入ピン６２ｄが突設されており、プランジャ６３ｄが前記本体下部から横向き延伸されると共に、下部それぞれに案内耳６４ｄ、６４ｄ、．．．が突設される。一方、反転部材３０ｃは、上部３４ｃに前記挿入ピン６２ｄ、６２ｄに対応して挿入孔３１ｃ、３１ｄが設けられており、前記プランジャ６３ｄ、６３ｄに対応して縦みぞ３３ｃ、３３ｃが設けられ、該縦みぞ３３ｃ、３３ｃそれぞれの底部から横へ横みぞ３２ｃ、３２ｃが形成されている。なお、施錠解錠の際、反転部材が回転すると共に係止手段が直線的に移動し易くするために、挿入孔３１ｃ、３１ｄの中少なくとも一つ３１ｄがやや長め、例えば楕円形（図３９、４０）に形成されることにより、解錠施錠するときの運動を円滑にすることができる。
【００５４】
なお、例えば図４１に示す如く、係止手段６０ａをケース４０ｂに取り付けるとき、ケース４０ｂのグローブ４０３ｂ内には、該係止手段６０ａがその内部７１で滑動可能に覆われるシールド７０が設けられている。該シールド７０は、高強度合金により造られたので、係止手段６０ａがドリルなどの手工具により開けられる恐れがなくなると共に、ロック装置全体を高価な硬質合金にて造られる必要もなくなるので、製造コストを減らすことができる。
【００５５】
本発明の錠シリンダ装置は、錠リング、定位座金などと鍵との取合わせにより、盗難防止性を向上させると共に、色々なロック装置に取付けることができ、且つ、取替えも簡単なので、使用勝手を向上することができる。なお、ロック装置に取付けた該シリンダ装置にもカバー手段により塵埃などが入らないようにすることができる。例えば、図４２に示されているように、カバー手段９００は鍵孔１１２へ延伸するカバー部材９２２を有するプレート９２０をそなえる。該カバー部材９２２は鍵孔１１２へ突入するように形成されて鍵孔１１２を塞ぎ、錠シリンダ１０内部に塵埃などを入らせないようにすることができる。該プレート９２０は枢止ナックルの一端部外周に複数の凹部９２３が設けられており、錠シリンダ１０の近くに貫設された深孔９１０内にばね９１１が設けられ、該ばね９１１の先端がクリック手段例えばボール９１２を該プレート９２０の枢止ナックル９２４に当接させて該ボール９１２で前記凹部９２３を歯止めさせる。この構成によれば、施錠解錠しないときにプレート９２０によって鍵孔をカバーすることができ、且つ、図４３のように前記プレート９２０を下方へ移動させ、、解錠施錠することができるので、ロック装置の内部に鍵孔を介して塵埃などを入らせなくする。また、該プレート９２０は、ばね９１１の付勢によってボール９１２がプレート９２０の凹部９２３に定位することができるので、ぶらつかないようにすることができる。
【００５６】
【発明の効果】
本発明の錠のシリンダ装置は、以上の構成により、いかなるロック装置にも取付けられることができることはいうまでもなく、さらに盗難防止性を向上させることができる。また、本発明の錠のシリンダ装置は、反転装置、制止手段及びプランジャの組合わせとにより、ロック装置に制限されることなく、ロック装置と無数の組合わせができる。
【図面の簡単な説明】
【図１】本発明の実施の形態に係るシリンダ装置例の分解斜視図。
【図２】該実施形態例における鍵、錠リング、伝動環及び保護リングを概略示す斜視図。
【図３】上図のシリンダ装置において鍵が錠リングに挿入された際の横断面図。
【図４】同上鍵が伝動環に挿入された際の横断面図。
【図５】上図のシリンダ装置の錠リング及びステー座金などが錠プラグに嵌入した際の固定手段を概略示す斜視図。
【図６】錠リング及びステー座金などが錠プラグに嵌入した際の他の固定手段を概略示す斜視図。
【図７】錠リング及びステー座金などが錠プラグに嵌入した際の他の固定手段を概略示す斜視図。
【図８】本発明のシリンダ装置の他の実施例を概略示す斜視図。
【図９】図８のシリンダ装置に鍵が挿入された時の横断面図。
【図１０】図９中鍵が回された時の横断面図。
【図１１】図８のシリンダ装置に鍵が挿入されたときの鍵と制止座金の相対関係略示斜視図。
【図１２】本発明のシリンダ装置の他の実施例の分解斜視図。
【図１３】図１２のシリンダ装置の或る錠リングに臨む位置よりの横断面図。
【図１４】図１３の鍵が挿入されたときの横断面図。
【図１５】図１４の鍵を回した第１の段階の横断面図。
【図１６】同上第２の段階の横断面図。
【図１７】同上第３の段階の横断面図。
【図１８】シリンダ装置の次の実施例の概略上面図。
【図１９】図１８のシリンダ装置の或る錠リングに臨む位置よりの横断面図。
【図２０】本発明のシリンダ装置のさらに他の実施例の分解斜視図。
【図２１】図２０のシリンダ装置の或る錠リングに臨む位置よりの横断面図。
【図２２】本発明のロック装置の一実施例の概略構成を示す分解斜視図。
【図２３】図２２のロック装置の反転部材及び係止手段の分解斜視図。
【図２４】（Ａ）は図２２のロック装置の施錠状態を示す縦断面図、及び（Ｂ）は同ほぼ係止手段の本体上部位置よりの横断面図。
【図２５】（Ａ）は図２２のロック装置の解錠状態を示す縦断面図、及び（Ｂ）は同横断面図。
【図２６】（Ａ）は該ロック装置の他の実施例の施錠状態を示す縦断面図、及び（Ｂ）は同ほぼ係止手段の本体上部位置よりの横断面図。
【図２７】（Ａ）は別のロック装置の施錠状態を示す縦断面図、及び（Ｂ）は同ほぼ係止手段の本体上部位置よりの横断面図。
【図２８】（Ａ）は別のロック装置の施錠状態を示す縦断面図、及び（Ｂ）は同ほぼ係止手段の本体上部位置よりの横断面図。
【図２９】本発明の反転部材及び制止手段の他の実施例の分解斜視図。
【図３０】（Ａ）は図２９の例のロック装置施錠状態を示す縦断面図、及び（Ｂ）は同ほぼ係止手段の本体上部位置よりの横断面図。
【図３１】（Ａ）は図２９の例のロック装置解錠状態を示す縦断面図、及び（Ｂ）は同ほぼ係止手段の本体上部位置よりの横断面図。
【図３２】本発明の反転部材及び制止手段の他の実施例の分解斜視図。
【図３３】（Ａ）は図３２の例のロック装置施錠状態を示す縦断面図、及び（Ｂ）は同ほぼ係止手段の本体上部位置よりの横断面図。
【図３４】（Ａ）は図３２における制止手段の突出部(二段構造)がスロットに入ったときを概略示す横断面図、及び（Ｂ）は該状態の局部拡大縦断面図。
【図３５】図３４の形態において鍵を用いずシャックルを挿込むだけで施錠することができる状態を概略示すほぼ係止手段位置よりの横断面図。
【図３６】同図３５の制止手段の挿入ピンがスロットの入り口より奥へ入れない状態を概略示す局部拡大横断面図。
【図３７】本発明の反転部材及び制止手段の他の実施例の分解斜視図。
【図３８】図３７による一ロック装置例を概略示す縦断面図。
【図３９】図３８のロック装置の解錠状態の反転部材と制止手段の作動概要を示す横断面図。
【図４０】同上施錠状態の横断面図。
【図４１】本発明のロック装置における制止手段及び該制止手段を被うためのシールドを概略示す斜視図。
【図４２】本発明のロック装置における鍵孔を蓋するためのカバー手段の一実施例を概略示す局部拡大縦断面図。
【図４３】図４２のカバー手段を縦方向へ動かした時の概略縦断面図。
【図４４】従来のシリンダ装置例の分解斜視図。
【図４５】従来のロック装置例の分解斜視図。
【符号の説明】
１  シリンダ装置
２  シリンダ装置
１０  錠シリンダ
１０ａ  錠シリンダ
１０Ａ  錠シリンダ
１０ｅ  錠シリンダ
１０ｆ  錠シリンダ
１０１ａ  リブ
１０１ｄ  リブ
１１  錠ケース
１１ａ  ピンタンプラシリンダ
１１０  内腔部
１１２  鍵孔
１１２ａ  鍵孔
１１３ａ  ホール
１１３ｄ  ホール
１１５  キャッチ溝
１２  錠プラグ
１２ａ  錠プラグ
１２ｂ  錠プラグ
１２０  胴部
１２０ａ  胴部
１２０ｂ  胴部
１２１  溶接箇所
１２２  耳
１２３  凹陥部
１２３ｂ  凹陥部
１２４  係止棒
１２５  スロット
１２６  リング溝
１２７  長溝
１２７ｂ  通孔
１３  錠リング
１３Ａ  錠リング
１３ａ  錠リング
１３ｂ  錠リング
１３ｃ  錠リング
１３ｄ  錠リング
１３１  中心孔
１３１ｃ  中心孔
１３２  切欠凹部
１３３  凸部
１３３ｃ  嵌入孔
１３３ｄ  嵌入孔
１３４  扇形凸出部
１３４ｃ  扇形凸出部
１３４ｂ  ラグ
１４  ステー座金
１４ａ  制止座金
１４１  凸片
１４１ａ  中心孔
１４２ａ  扇形突出部
１５  伝動環
１５１  中心孔
１５２  凸部
１５３  扇形凸出部
１５４  伝動ロッド
１６  保護リング
１６１  中心孔
１６２  凸部
１７  定位リング
１８  弾性リング
１９  ピンユニット
１９１  ピン
１９２  ピン
１９３  ピン
１９４  圧縮ばね
１９５  スリーブ
１９６  コイルばね
２０  鍵
２０ｂ  鍵
２０Ａ  鍵
２１  ブレード部
２１２  切込面
２１３  周面
２１３Ａ  周面
２２  摘み部
２３  伝動部
２３１  凹溝
２４  歯刻み
２４Ａ  歯刻み
２４ａ  歯
２４ｂ  歯
２５  長溝
２６  凹部
３０  反転部材
３０ａ  反転部材
３０ｂ  反転部材
３０１  本体
３０２  上面部
３０２ａ  底部
３１  可動部材
３１１  内腔部
３２  圧縮ばね
３３  プランジャ
３３ａ  プランジャ
３４  カバー
３５  挿入孔
３５ａ  凹部
３５ｂ  凹部
３５１  後端部
３５２  スロット
３５２ａ  上壁部
３５２ｂ  下壁部
３５４ａ  第１端部
３５５ａ  第２端部
３６ａ  カム部
５００  ロック装置
６００  ロック装置
１００  ロック装置
５００ａ  ロック装置
８００  ロック装置
４０  ケース
４０ａ  ケース
４０ｂ  ケース
４０１  シリンダ部
４０２  開口
４０３  係止室
４０３ｂ  グローブ
４０８  グローブ
１０１  グローブ
４０４  ソケット孔
４０５  ソケット孔
４０６  穴
４０７ａ  穴
４１  止鉤
４２  ばね
４３  ナット
４４  ねじロッド
５０  シャックル
１３０  シャックル
５１  長脚部
５２  短脚部
５３  切込
５３ａ  切込
１０２  切込
６２２  切込
５４  スリット
５５  輪みぞ
６０  係止手段
６３０  係止手段
６０ａ  係止手段
６０ｂ  係止手段
６０ｃ  係止手段
６０ｄ  係止手段
６１  本体
６１ｂ  本体
６１ａ  上面部
６２  案内耳
６４ｄ  案内耳
６２ａ  ベース
６３  延伸部
６３ａ  延伸部
６３ｂ  延伸部
６１ｄ  延伸部
６４  挿入ピン
６３１  挿入ピン
６４ａ  挿入ピン
６４ｂ  挿入ピン
６４ｃ  挿入ピン
６２ｄ  挿入ピン
６５ａ  突縁
６８ｂ  斜面部
６１０  左フレーム
６１０Ａ  右フレーム
６１２  ケース
６１４  貫挿孔
６１４Ａ  盲ホール
６１６Ａ  ばね
６２０  ボルト
６２１  係止ピン
７０  シールド
７１  内部
９００  カバー手段
９１０  深孔
９１１  ばね
９１２  ボール
９２０  プレート
９２２  カバー部材
９２３  凹部
９２４  枢止ナックル
【図１】
0003675747.tif 000002
【図２】
0003675747.tif 000003
【図３】
0003675747.tif 000004
【図４】
0003675747.tif 000005
【図５】
0003675747.tif 000006
【図６】
0003675747.tif 000007
【図７】
0003675747.tif 000008
【図８】
0003675747.tif 000009
【図９】
0003675747.tif 000010
【図１０】
0003675747.tif 000011
【図１１】
0003675747.tif 000012
【図１２】
0003675747.tif 000013
【図１３】
0003675747.tif 000014
【図１４】
0003675747.tif 000015
【図１５】
0003675747.tif 000016
【図１６】
0003675747.tif 000017
【図１７】
0003675747.tif 000018
【図１８】
0003675747.tif 000019
【図１９】
0003675747.tif 000020
【図２０】
0003675747.tif 000021
【図２１】
0003675747.tif 000022
【図２２】
0003675747.tif 000023
【図２３】
0003675747.tif 000024
【図２４】
0003675747.tif 000025
【図２５】
0003675747.tif 000026
【図２６】
0003675747.tif 000027
【図２７】
0003675747.tif 000028
【図２８】
0003675747.tif 000029
【図２９】
0003675747.tif 000030
【図３０】
0003675747.tif 000031
【図３１】
0003675747.tif 000032
【図３２】
0003675747.tif 000033
【図３３】
0003675747.tif 000034
【図３４】
0003675747.tif 000035
【図３５】
0003675747.tif 000036
【図３６】
0003675747.tif 000037
【図３７】
0003675747.tif 000038
【図３８】
0003675747.tif 000039
【図３９】
0003675747.tif 000040
【図４０】
0003675747.tif 000041
【図４１】
0003675747.tif 000042
【図４２】
0003675747.tif 000043
【図４３】
0003675747.tif 000044
【図４４】
0003675747.tif 000045
【図４５】
0003675747.tif 000046